(57)【特許請求の範囲】
【請求項１】
被調理物を収納して加熱調理するためのグリル庫と、該グリル庫内の様子をみるための覗き窓と、点火操作手段を操作して点火し燃焼するグリルバーナと、上方に開口し燃焼排気を器体外に排出するための排気口と、該グリル庫から該排気口への燃焼排気通路と
を備えたグリル付きこんろにおいて、
上記排気口に臨む上記グリル庫の後部上部に採光用開口を設けて、上記排気口と、採光用開口を介して、器体の外部とグリル庫の内部とを直線的に連通する採光用経路を形成するとともに、
上記採光用開口を閉鎖することができる開閉可能な閉鎖手段と、該閉鎖手段を開閉操作する開閉操作手段と
を設けたことを特徴とするグリル付きこんろ。
【請求項２】
上記グリル庫と上記燃焼排気通路とを仕切壁で仕切り、該仕切壁に該グリル庫と該燃焼排気通路とを連通する連通口とを備え、
上記グリルバーナの燃焼ガスが上記グリル庫内に充満した後、上記連通口からあふれて上記燃焼排気通路に至り上記排気口から器体外に排出される燃焼排気経路を形成することで、燃焼ガスの対流によって上記被調理物を加熱調理することを特徴とする請求項１記載のグリル付きこんろ。
【請求項３】
上記点火操作手段の点火操作に連動して上記閉鎖手段を開成する連動手段を備えたことを特徴とする請求項１又は請求項２記載のグリル付きこんろ。
【請求項４】
上記閉鎖手段は、通常は付勢により閉成され、開操作により開成されることを特徴とする請求項１〜３のいずれか１項に記載のグリル付きこんろ。
【発明の詳細な説明】
【０００１】
【発明の属する技術分野】
本発明は、魚等の被調理物をグリル庫内で加熱調理するグリル付きこんろに関する。
【０００２】
【従来の技術】
従来からグリルには、グリルバーナの燃焼ガスをグリル庫内にこもらせて被調理物を全面より加熱調理する、いわゆる、こもり焼きのできるものが知られている。こうしたグリルは、少ないガス消費量で加熱調理でき、省エネタイプのグリルとして高く評価されている。また、被調理物の焼き脂を受ける受皿への輻射加熱を抑えることにより、受皿に水を張らない水無しグリルとして適正に使用でき、被調理物をこんがりと焼くことができる。
【０００３】
図７は、この水無しグリル１５０の側面図を示している。
グリル１５０は、被調理物Ｆを載せる焼網６１と、焼網６１を載せたまま手前にスライドして引き出す受皿６２と、燃料ガスを燃焼させて被調理物Ｆを加熱する全１次空気式のグリルバーナ６３と、これらを収めるグリル庫１６０と、グリル庫１６０の背部に設けられグリルバーナ６３の燃焼により発生した燃焼ガスを器体外に導く排気室７１とから構成され、排気室７１の上端には、排気口７０が開口される。
【０００４】
グリル庫１６０と排気室７１とを仕切る仕切壁７２には、連通口７３が開口され、その開口部上端が焼網６１における被調理物Ｆの載置面より少し低い位置となるように形成される。また、グリル庫１６０の底面には、排気室７１底部と連通して冷却通路６４が設けられ、その前部には外部空気が冷却通路６４に進入できる空気導入口６５が開口される。
【０００５】
このグリル１５０に点火操作が行われると、グリルバーナ６３から噴出される燃料ガスに着火して燃焼が開始される。
発生した燃焼ガスは、グリル庫１６０上方にこもり、被調理物Ｆを燃焼熱によって包み隅々まで加熱して良好に調理し、その後、連通口７３へあふれて排気室７１に流入し、ドラフト力により排気室７１内を上昇して排気口７０から器体外へ流出する。これに伴って外部空気が、空気導入口６５から流入し、冷却通路６４に吸引されて受皿６２を冷却して受皿６２の過熱を防止するため、水無しグリルとして適正に使用できる。
【０００６】
このようなグリル１５０において、グリル庫１６０内の被調理物Ｆの焼け具合を確認したい場合には、グリル庫１６０前面に設けられた開閉扉５７に備えられるガラス製の覗き窓５７ａを通してグリル庫１６０内を観察している。
【０００７】
【発明が解決しようとする課題】
しかしながら、グリル庫内の前方は、ある程度の採光が覗き窓５７ａを通して得られ明るいが、後方は、排気口７０からのわずかな採光しか得られないために暗くなっており、被調理物Ｆの焼け具合を確認しにくかった。特に、上述のようなこもり焼きを行うグリル１５０では、仕切壁７２によって排気口７０からの採光が遮られてしまうため、グリル庫１６０後方はさらに暗くなっていた。
【０００８】
別の焼け具合を確認し易くする方法として照明部材を設ける方法があり、例えば、特開平１１−１５５７４０においては、グリル庫内のグリルバーナの燃焼炎にあぶられる位置にセラミック棒からなる照明部材を設けてこの照明部材を赤熱させることにより、調理中ずっとグリル庫内を照明するグリルが知られている。
しかしながら、バーナの燃焼中でないと効果がない上に、燃焼中はずっと照明部材を赤熱させ続けるため、照明部材の耐久性が悪かった。
また、このようなこもり焼きを行うグリルでは、点火初期においては、排気室内で発生する上向きのドラフト力が弱いため、燃焼排気の抜けが悪く、酸欠による点火や火移り性能の低下が懸念されている。
本発明のグリル付きこんろは上記課題を解決し、グリル庫内を明るくして被調理物の焼き具合を良好に確認し、かつ、点火初期における燃焼排気の抜けを良くすることを目的とする。
【０００９】
【課題を解決するための手段】
上記課題を解決する本発明の請求項１記載のグリル付きこんろは、
被調理物を収納して加熱調理するためのグリル庫と、該グリル庫内の様子をみるための覗き窓と、点火操作手段を操作して点火し燃焼するグリルバーナと、上方に開口し燃焼排気を器体外に排出するための排気口と、該グリル庫から該排気口への燃焼排気通路と
を備えたグリル付きこんろにおいて、
上記排気口に臨む上記グリル庫の後部上部に採光用開口を設けて、上記排気口と、採光用開口を介して、器体の外部とグリル庫の内部とを直線的に連通する採光用経路を形成するとともに、
上記採光用開口を閉鎖することができる開閉可能な閉鎖手段と、該閉鎖手段を開閉操作する開閉操作手段と
を設けたことを要旨とする。
【００１０】
また、本発明の請求項２記載のグリル付きこんろは、上記請求項１記載のグリル付きこんろにおいて、
上記グリル庫に併設された排気室と、該グリル庫と該排気室とを連通する連通口とを備え、
上記グリルバーナの燃焼ガスが上記グリル庫内に充満した後、上記連通口からあふれて上記排気室に至り上記排気口から器体外に排出される上記燃焼排気通路を形成することで、燃焼ガスの対流によって上記被調理物を加熱調理することを要旨とする。
【００１１】
また、本発明の請求項３記載のグリル付きこんろは、上記請求項１又は請求項２記載のグリル付きこんろにおいて、
上記点火操作手段の点火操作に連動して上記閉鎖手段を開成する連動手段を備えたことを要旨とする。
【００１２】
また、本発明の請求項４記載のグリル付きこんろは、上記請求項１の〜３いずれか１項に記載のグリル付きこんろにおいて
上記閉鎖手段は、通常は付勢により閉成され、開操作により開成されることを要旨とする。
【００１３】
上記構成を有する本発明の請求項１記載のグリル付きこんろによれば、開閉操作手段を操作して閉鎖手段を開成すると、採光用開口が開いて、グリル庫内に排気口からの採光を取り入れることができ、グリル庫内が明るくなるので、覗き窓を通して被調理物の焼き具合を良好に確認できる。
確認後、開閉操作手段により閉鎖手段を閉成すると、採光用開口が閉じられ、グリル庫内の燃焼ガスが採光用開口から無駄に漏れ出すことを防ぐ。
【００１４】
また、本発明の請求項２記載のグリル付きこんろによれば、燃焼ガスがグリル庫内に充満して、その対流によって被調理物を加熱しているために省エネルギーとなるが、グリル庫内への排気口からの採光が仕切壁によって遮られてしまい暗いため、採光用開口を介して得られる採光がより有効なものとなる。また、閉鎖手段が閉成すると、グリル庫内に充満させている燃焼ガスが連通口以外から漏れ出すことを防ぐ。
【００１５】
また、本発明の請求項３記載のグリル付きこんろによれば、点火操作手段でバーナに点火すると、それにあわせて連動手段が閉鎖手段を開成し、グリル庫内が明るくなる。しかも、この時、グリル庫内の燃焼排気が採光用開口を通って排気口から器体外部へ排出されるので、正規の排気連通口を通して排気する場合に比べて点火初期の排気の抜けが良くなり、確実に点火後、火移りする。
【００１６】
また、本発明の請求項４記載のグリル付きこんろによれば、閉鎖手段が閉方向に付勢されているため、通常は、採光用開口からグリル庫内の燃焼ガスが漏れることを防ぐ。また、閉鎖手段が開成されると、グリル庫内が明るくなり、被調理物の焼け具合などを確認しやすくなる。開閉操作手段を操作したり、点火操作を終了して、閉鎖手段の開操作を止めると、わざわざ閉操作をしなくても自動的に閉鎖手段が閉まり、必要時以外は採光用開口から燃焼ガスが漏れ出すことを防ぐ。
【００１７】
【発明の実施の形態】
以上説明した本発明の構成・作用を一層明らかにするために、以下本発明のグリル付きこんろの好適な一実施形態について図１〜図６を用いて説明する。
【００１８】
図６は、グリル付きテーブルこんろの外観図を示している。
テーブルこんろは、トッププレート５３に２組のこんろバーナ５４ａ，５４ｂが設けられ、それらの周囲に設けられた五徳５５ａ，５５ｂ上に図示しない調理鍋を載せ、テーブルこんろの前面に設けられる操作ボタン５２ａ，５２ｂを押すことによりそれぞれのこんろバーナ５４ａ，５４ｂが点火され、調理鍋が加熱されるものである。
こんろバーナ５４ａ，５４ｂ間の器体の中心部には、魚等の被調理物を焼くためのグリル５０が設けられ、操作ボタン５２ｃを押して点火し加熱調理が行われる。
【００１９】
このグリル５０は、図１〜図３に示すように、被調理物Ｆを収納して加熱するグリル庫６０を備える。
このグリル庫６０は、上段左右側面に設けられ燃料ガスを燃焼させて被調理物Ｆを加熱する表面燃焼式のグリルバーナ６３と、中段位置に被調理物Ｆを載せる焼網６１と、底面に設けられ焼網６１を載せたまま手前にスライドさせて引き出すことができる受皿６２とを備える。受皿６２は、被調理物Ｆから落下する焼き脂Ｇを受けるための浅い皿で、上面がフッ素コーティングしてある。
【００２０】
グリル庫６０の正面中央には、受皿６２と一体的に固定され受皿６２を手前に引き出す取手５６と、受皿６２を引き出す時に連動して開閉する開閉扉５７とが設けられ、その開閉扉５７にはガラス製の覗き窓５７ａが設けられる。
取手５６を手前に引き出すと、取手５６に固定された受皿６２がグリル庫６０の底面をスライドし、受皿６２に載置された焼網６１が同時に引き出される。
また、グリル庫６０の底面には、後述する排気室７１底部と連通して冷却通路６４が設けられ、その前部には外部空気が冷却通路６４に進入できる空気導入口６５が開口される。
【００２１】
グリル庫６０の上段左右側面に設けられるグリルバーナ６３は、多孔質セラミックスの平面プレートに多数の小炎口を貫通させた燃焼面を有し、燃焼に必要な空気のほとんどを一次空気として吸入する全一次空気式のバーナである。
また、図４に示すように、操作ボタン５２ｃの後ろの器体内には、操作ボタン５２ｃの操作によりグリルバーナ６３へのガス流路を開閉するとともに図示しない火力調節ツマミの左右への操作に連動してガス量を調節する点滅器９０が設けられる。この点滅器９０は、ガス流路を開閉する開閉弁として、メイン弁９２とマグネット弁９３とを備える。また、点滅器９０には、操作ボタン５２ｃの押し操作に連動して動作する点火レバー９１が操作ボタン５２ｃに当接して設けられる。メイン弁９２は、この点火レバー９１を介して進退するスピンドル９４の移動位置に応じて開閉する。一方、マグネット弁９３は、スピンドル９４の先端により弁体が押し開かれて開弁し、グリルバーナ６３近傍に設けられる図示しない熱電対の熱起電力によりコイル９６に通電されている間、吸着され開弁状態を保持する。また、このスピンドル９４はバネ９５により閉弁方向（図面左方向）に付勢されている。
操作ボタン５２ｃを押して、消火位置（ａ）から点火レバー９１を点火位置（ｂ）まで押し切ると、スピンドル９４も後方まで押し切られ、メイン弁９２を開弁し、マグネット弁９３を押し込み、コイル９６の鉄心に吸着させて、ガス流路を開く。点火後、操作スイッチ５２ｃから手を離すと、図示しない周知のハートカム機構によりスピンドル９５は所定位置まで戻る。この時、メイン弁９２は開弁状態に保持され、マグネット弁９３はコイル９６に吸着された状態で閉弁可能状態に置かれる。また、点火レバー９１もスピンドル９４の動きによって押し戻されて燃焼位置（ｃ）となる。再度、点火レバー９１を押し、手を離すとハートカムの係合がとれてスピンドル９４が元の消火位置に戻り、メイン弁９２が閉じてガス流路が閉じられる。グリルバーナ６３が消火するとコイル９６への通電が停止し、マグネット弁９４は吸着されなくなり閉弁する。この際、点火レバー９１は消火位置（ａ）まで押し戻される。
【００２２】
グリル庫６０の後方には、上方に開口する排気口７０を備えた排気室７１が仕切壁７２を介して併設され、この仕切壁７２の下部にグリル庫６０と連通する連通口７３が開口し、グリル庫６０から排気口７０までの排気経路が形成される。仕切壁７２は、図１及び図２に示すように、グリル庫６０の天井部としてのグリル天板６６の後端から真下に延設される。グリル天板６６には、仕切壁７２とのコーナー部にグリル庫６０の幅と同程度の横幅をもつ長方形の開口（本発明の採光用開口に相当する）１が設けられる。この開口１の手前位置から排気口７０に向かって、燃焼排気を開口１を介して排気口７０に導くガイド板２が設けられる。従って、このガイド板２により、上述した排気経路とは別の排気経路を形成する。
【００２３】
開口１には、図１〜図３に示されるように、開口１を開閉するための回動扉３が設けられる。開口１の周囲のグリル天板６６には、断熱性のシール材４が設けられており、回動扉３を閉めた時には、シール材４が押しつぶされて回動扉３に密着し、グリル庫６０の気密性を維持する。尚、図１は、回動扉３の閉状態を示し、図２及び図３は、開状態を示している。
この回動扉３の両側には扉支持片５が設けられ、グリル庫６０の側面を貫通しているリンク棒６を扉支持片５に挿通して回動扉３が軸支される。このリンク棒６は、回動扉３に設けられた掛止片１７と連結され、回動扉３と共に回動可能となる。
回動扉３を開閉操作するために、グリル庫６０の外でリンク棒６の右端に平板状の押板７が回動扉３と直角に設けられる。リンク棒６は、押板７に挿通して固着されているため、リンク棒６は押板７と共に回動可能となっている。また、リンク棒６の右端とグリル庫６０との間には、後述する押棒９を支える支え板８が設けられる。
支え板８の側方には、その奥行き方向に沿って、押板７を押すための押棒９が、回動扉３が閉じている場合の押板７に当接するように設けられ、図６に示されるように、その反対側の先端が器体前面に形成された円状の押棒開口１０から突き出てつまみ１１が嵌着される。
また、グリル庫６０の外側の側面には、図１及び図２に示されるように、押板７を図面左方向へ付勢する引っ張りバネ１２が設けられる。
【００２４】
従って、押板７が引っ張りバネ１２により反時計方向に付勢され、回動扉３はシール材４に当接する閉位置に至って静止する。
一方、つまみ１１を開位置（奥）に押し込むと、図２に示すように、押板７，リンク棒６を介して回動扉３が図面反時計方向へ回動して開口１が開き、排気口７０からの光がグリル庫６０内に差込んでグリル庫６０内が明るくなるため、覗き窓５７ａを通してグリル庫６０内が良好に確認できるようになる。
【００２５】
また、図３に示すように、押棒９の途中にはＬ字状の連動棒１３が分岐して設けられる。この連動棒１３の先端には、図５に示すように、押片１４が、点滅器９０に備えられた点火レバー９１の頭部９１ａに向かい合い、燃焼位置（ｃ）においてこの頭部９１ａに当接するように設けられる。押片１４がこの位置にある場合には、つまみ１１は、閉位置（手前）にあり、回動扉３は閉じている。また、点火操作時に、点火レバー９１が押し切られ、点火位置（ｂ）になると、押片１４も頭部９１ａにより後方（図面右方向）に押し切られる。この場合には、押棒９も後方に押し切られ、つまみ１１は、開位置（奥）となり、開動扉が開く。尚、図中において点滅器９０は、本願とは直接関係しないため、その上部を省略してある。
また、支え板８には、中心付近にガイド孔１５が開口されたガイド板１６が間隔をあけて３枚、ガイド孔１５を水平方向の一直線状に配置するように設けられる。押棒９は、このガイド孔１５を挿通して設けられているため、押棒９の動作方向は水平方向にのみ規制される。
【００２６】
上述したグリル付きこんろによれば、操作ボタン５２ｃを押すと、点火レバー９１が押し切られ、グリルバーナ６３から燃料ガスが噴出されると共に、点火電極の連続放電により点火する。この時、点火レバー９１の押し切り動作に連動して押片１４を後方に押し回動扉３を開くため、開口１から光が入ってグリル庫６０内が明るくなり、グリルバーナ６３の着火状態を良好に確認することができる。すなわち、点火操作ボタン５２ｃを押すだけで、グリルバーナ６３への点火と回動扉３の開操作の両方を行うことができるため、グリルバーナ６３への着火状態を使い勝手良く良好に確認できる。しかも、回動扉３が開けられている間は、グリル庫６０内の燃焼排気は開口１を通って排気口７０からも器体外へ排出されるため、排気室７１で発生するドラフト力が弱い点火初期における燃焼排気の抜けが良くなる。このため、点火初期においてグリル庫６０内が酸欠状態になることを防げ、点火や火移り性能を向上できる。また、開口１から漏れる燃焼排気は、排気口７０から器体外に排出されるため安全である。
操作ボタン５２ｃから手を離して、点火操作を終了すると、点火レバー９１は燃焼位置（ｃ）まで戻る。この時、押板７も引っ張りバネ１２の付勢力で反時計方向に引っ張られ、回動扉３は閉められシール材４に密着し、グリル庫６０内にこもらせている燃焼ガスが開口１から漏れ出すことを防止する。
【００２７】
調理中にグリルバーナ６３で発生した高温の燃焼排気は、いったんグリル庫６０の上部に溜まり連通口７３から溢れて、排気室７１を介して排出される。従って、被調理物Ｆは、グリルバーナ６３の輻射熱と滞留した排気熱とにより加熱され、被調理物Ｆが効率良く調理される。
【００２８】
調理中は通常、つまみ１１は閉位置（手前）にあり、回動扉３が閉まっているため、グリル庫６０内にこもらせている燃焼ガスが開口１から無駄に漏れ出すことはなく、本来のこもり焼きの性能を十分に活かすことができる。
グリル庫６０内を明るくして、被調理物Ｆの焼け具合を良好に確認したい時は、つまみ１１を開位置（奥）に操作することにより、点滅器９０を動作させることなく、回動扉３を開け、グリル庫６０内に排気口７０からの採光を取り入れることができる。確認後、つまみ１１から手を離すと引っ張りバネ１２の付勢力により自動的に閉位置に戻り、回動扉３が閉まって再び開口１から燃焼ガスが漏れ出すことを防止する。従って、回動扉３が引っ張りバネ１２の付勢力により閉じるため、閉め忘れにより燃焼ガスが無駄に漏れてしまうといった不具合を防止できる。
【００２９】
こうしたこもり焼き調理において、燃焼ガスがグリル庫６０内を充満し、連通口７３からあふれ出ると、排気室７１内の空気の温度が上昇し、排気口７０の上流（排気室内）と下流（器体外部）との間に大きな温度差が生じて、排気室７１内で上向きの十分なるドラフト力が発生する。
この十分なるドラフト力により、燃焼ガスが排気室７１を通ってグリル５０外部へ円滑に排出されると共に、グリル庫６０底面の空気導入口６５から外部空気が冷却通路６４に吸引され、受皿６２下面に沿って流れて受皿６２を冷却する。
こうして、グリル５０は、受皿６２に水を張らない水無しグリルとして適性に使用でき、被調理物Ｆをこんがりと焼くことができる。
【００３０】
以上本発明の実施形態について説明したが、本発明はこうした実施形態に何等限定されるものではなく、本発明の要旨を逸脱しない範囲において、種々なる態様で実施し得ることは勿論である。
例えば、点火操作に連動して回動扉３を開成する構成を設けなくても構わない。
また、仕切壁７２を備えないタイプのグリルに適用しても構わない。この場合には、こもり焼き調理を行うことはできないが、排気口７０からのグリル庫６０内への採光が多くなり、グリル庫６０内は一層明るくなる。
また、本実施形態では、片面焼きグリルにおいて説明したが、焼網の上下にグリルバーナを設けた両面焼きグリルに適用しても差し支えない。
【００３１】
【発明の効果】
以上詳述したように、本発明の請求項１記載のグリル付きこんろによれば、随時、排気口からの採光を排気口からグリル庫内に取り入れることができる。このため、特別に照明部材を設けることなく、グリル庫内が明るくなり、被調理物Ｆの焼き具合を良好に確認できるようになる。確認後、開口を閉鎖すれば、燃焼ガスが採光用開口から漏れ出すことを防止し、本来のグリル庫の調理性能を維持できる。また、採光用開口から漏れる燃焼排気は、排気口から器体外部に排出されるため安全である。
【００３２】
更に、本発明の請求項２記載のグリル付きこんろによれば、本来のこもり焼きの調理性能を十分に活かしつつ、グリル庫後方が暗くなるという短所を排気口からの採光により補うことができ、調理性能と使い勝手とを両立できる。
【００３３】
更に、本発明の請求項３記載のグリル付きこんろによれば、バーナへの点火操作と連動して閉鎖手段が開成され、グリル庫内が明るくなるので、点火操作を行いながらバーナの着火状態を良好に確認できる。しかも、採光用開口から燃焼排気を排出することができるため、点火初期においてグリル庫内が酸欠状態になることを防げ、点火や火移り性能を向上できる。
【００３４】
更に、本発明の請求項４記載のグリル付きこんろによれば、閉鎖手段を開操作後、閉操作しなくても自動的に閉成されるため、閉め忘れによって燃焼ガスが漏れ出すといった不具合を防止できる。特に、こもり焼きタイプのグリルにおいては、燃焼ガスの有効利用が図られる。
【図面の簡単な説明】
【図１】本実施形態のグリルを側面からみた断面図である。
【図２】本実施形態のグリルを側面からみた断面図である。
【図３】本実施形態のグリルを正面からみた断面図である。
【図４】点滅器を側面からみた断面図である。
【図５】本実施形態のグリル付きこんろを側面からみた断面図である。
【図６】本実施形態のグリル付きこんろの外観図である。
【図７】従来例のグリルを側面からみた断面図である。
【符号の説明】
１…開口、２…上部仕切り壁、３…回動扉、６…リンク棒、７…押板、９…押棒、１２…引っ張りバネ、１３…連動棒、１４…押片、５０…グリル、５７ａ…覗き窓、６０…グリル庫、６３…グリルバーナ、６６…グリル天板、７０…排気口、７１…排気室、７２…仕切壁、９０…点滅器、９１…点火レバー、９１ａ…頭部。
【図１】
0004375774.tif 000002
【図２】
0004375774.tif 000003
【図３】
0004375774.tif 000004
【図４】
0004375774.tif 000005
【図５】
0004375774.tif 000006
【図６】
0004375774.tif 000007
【図７】
0004375774.tif 000008